(57)【要約】      （修正有）【課題】収穫後のジャガイモの緑化を抑制する方法を提供する。【解決手段】収穫後のジャガイモに対して、遠赤色光と遠赤色光以外の波長域の光とを同時に照射する第１過程と、ジャガイモに対して、遠赤色光を単独で照射する時間帯、及び遠赤色光と遠赤色光以外の波長域の光とを非照射とする時間帯を含む第２過程とを備える。第２過程では、遠赤色光を照射しない時間帯を設け、ジャガイモに対して遠赤色光を単独で照射する時間帯、及び遠赤色光と遠赤色光以外の波長域の光とを非照射とする（暗所とする）時間帯を含める。【選択図】図３
2020141626.tif 000002
【特許請求の範囲】
【請求項１】
収穫後のジャガイモに対して、遠赤色光と遠赤色光以外の波長域の光とを同時に照射する第１過程と、
前記ジャガイモに対して、遠赤色光を単独で照射する時間帯、及び遠赤色光と遠赤色光以外の波長域の光とを非照射とする時間帯を含む第２過程と
を備えることを特徴とする緑化抑制方法。
【請求項２】
前記遠赤色光以外の波長域の光の光強度を、光源直下において８Ｗ／ｍ２とし、
前記遠赤色光の光強度を、光源直下において８Ｗ／ｍ２とする
ことを特徴とする請求項１に記載の緑化抑制方法。
【請求項３】
前記遠赤色光以外の波長域の光を、１日当たり１２時間連続で照射し、
前記遠赤色光を、１日当たり、前記第１過程において１２時間連続で照射し、及び前記第２過程において、まず４時間連続で照射し、次に１時間非照射とし、次に７時間連続で照射する
ことを特徴とする請求項１又は２に記載の緑化抑制方法。
【請求項４】
前記遠赤色光以外の波長域の光を、１日当たり１２時間連続で照射し、
前記遠赤色光を、１日当たり、前記第１過程において１２時間連続で照射し、及び前記第２過程において、まず４時間連続で照射し、次に０．５時間非照射とし、次に７．５時間連続で照射する
ことを特徴とする請求項１又は２に記載の緑化抑制方法。
【請求項５】
前記遠赤色光以外の波長域の光を、１日当たり１２時間連続で照射し、
前記遠赤色光を、１日当たり、前記第１過程において１２時間連続で照射し、及び前記第２過程において、まず２時間連続で照射し、次に１時間非照射とし、次に９時間連続で照射する
ことを特徴とする請求項１又は２に記載の緑化抑制方法。
【請求項６】
前記遠赤色光以外の波長域の光を、１日当たり１２時間連続で照射し、
前記遠赤色光を、１日当たり、前記第１過程において１２時間連続で照射し、及び前記第２過程において、まず６時間連続で照射し、次に１時間非照射とし、次に５時間連続で照射する
ことを特徴とする請求項１又は２に記載の緑化抑制方法。
【請求項７】
前記遠赤色光以外の波長域の光を、１日当たり１２時間連続で照射し、
前記遠赤色光を、１日当たり、前記第１過程において１２時間連続で照射し、及び前記第２過程において、まず４時間連続で照射し、次に２時間非照射とし、次に６時間連続で照射する
ことを特徴とする請求項１又は２に記載の緑化抑制方法。
【請求項８】
前記遠赤色光以外の波長域の光を、１日当たり４時間連続で照射し、
前記遠赤色光を、１日当たり、前記第１過程において４時間連続で照射し、及び前記第２過程において、まず４時間連続で照射し、次に１時間非照射とし、次に６時間連続で照射し、次に９時間非照射とする
ことを特徴とする請求項１又は２に記載の緑化抑制方法。
【請求項９】
前記遠赤色光以外の波長域の光を、１日当たり４時間連続で照射し、
前記遠赤色光を、１日当たり、前記第１過程において４時間連続で照射し、及び前記第２過程において、まず１０時間連続で照射し、次に１０時間非照射とする
ことを特徴とする請求項１又は２に記載の緑化抑制方法。
【請求項１０】
前記遠赤色光以外の波長域の光を、１日当たり１２時間連続で照射し、
前記遠赤色光を、１日当たり、前記第１過程において１２時間連続で照射し、及び前記第２過程において、まず２時間非照射とし、次に１０時間連続で照射する
ことを特徴とする請求項１又は２に記載の緑化抑制方法。
【発明の詳細な説明】
【技術分野】
【０００１】
この発明は、ジャガイモの緑化抑制方法、例えば、収穫後のジャガイモの貯蔵等に用いられる緑化抑制方法に関するものである。
【背景技術】
【０００２】
収穫後のジャガイモを蛍光灯等による白色光に曝露した場合、品種間で差はあるものの、全ての品種において表皮の緑化とともにジャガイモ中の食中毒成分であるグリコアルカロイドが顕著に増加することが報告されている。この場合、主成分をα−ソラニン及びα−チャコニンとするグリコアルカロイドは、可食限界とされる目安値の２００ｍｇ／ｋｇ新鮮重を超える場合がある。また、表皮の緑化の程度とグリコアルカロイド含有量とには、高い正の相関があること、曝露時間の増加とともに、緑化が進行し、食中毒成分が増加すること、なども報告されている（例えば、非特許文献１〜８参照）。
【０００３】
このため、通常、収穫後のジャガイモは、暗所下の低温貯蔵庫に保管されている。また、出荷作業は、ホークリフト等の重機の灯りを点灯するなどして、極力室内照明を点灯せずに、暗い環境下で行われている。一方、店頭では、萌芽しやすい品種のジャガイモは日持ちの短い野菜等と同様に、低温のショーケースに収納されている場合が多い。また、ショーケースに収納されていないジャガイモも、店内の照明に長時間曝されている。そのため、一部の店舗では中身の見えない遮光袋を用いた販売を行っている。
【０００４】
なお、この出願に係る発明者らによって、収穫後のジャガイモなどの根菜に、青色光、緑色光、黄色光及び赤色光や、これらの光を含むいわゆる白色光を照射した場合には、緑化が誘導されること、特に赤色光を照射した場合に、顕著に緑化が誘導されることが確かめられている（例えば、特許文献１参照）。そして、この特許文献１には、遠赤色光を単独で照射した場合には、緑化が抑制されることが開示されている。
【０００５】
また、この出願に係る発明者らによって、収穫後のジャガイモ等が、遠赤色光以外の光に長時間曝露されている環境下でも、遠赤色光を同時に照射させることで、緑化を抑制できることが確かめられている（例えば、特許文献２参照）。従って、特許文献２に開示された緑化抑制方法によれば、遠赤色光を同時に照射することによって、収穫後のジャガイモの出荷作業を蛍光灯等の照明下で行うことが可能となり、作業性が向上する。また、店頭に陳列されている間の、食中毒成分の増加を抑えることができる。
【０００６】
さらに、この出願に係る発明者らによって、白色光等に曝露されたジャガイモに対し、白色光等を非照射とした時間帯において、遠赤色光を照射することで、緑化の進行を抑制できることが確かめられている（例えば、特許文献３参照）。
【先行技術文献】
【特許文献】
【０００７】
【特許文献１】特開２０１０−１８７５９８号公報
【特許文献２】特開２０１３−０９０６２６号公報
【特許文献３】特開２０１８−０４６７９６号公報
【非特許文献】
【０００８】
【非特許文献１】久野加代子、三浦博史、杉井通泰．長崎産バレイショのSolanineに関する研究（第1報）塊茎のSolanine含量と光によるその変動の品種間差異．生薬学雑誌、34、110-116 (1980)
【非特許文献２】忠田吉弘．貯蔵流通条件によるジャガイモ中のグリコアルカロイドの変化．農業技術、60、213-215 (2005)
【非特許文献３】Salunke,K. and Salunkhe D.K. Chlorophyll and solanine in potato tubers : formation and control. Int. Congress Food Sci. Technol., III, 284-292 (1974)
【非特許文献４】Machado,R.M.D., Toledo,M.C.F., and Garcia,L.C. Effect of light and temperature on the formation of glycoalkaloids in potato tubers. Food Control, 18, 503-508 (2007)
【非特許文献５】Percival, G.C. The influence of light upon glycoalkaloid and chlorophyll accumulation in potato tubers (Solanum tuberosum L.). Plant Sci., 145, 99-107 (1999)
【非特許文献６】Percival,G., Dixon,G.R. and Sword,A. Glycoalkaloid Concentration of Potato Tubers Following Exposure to Daylight. J. Sci. Food Agric., 71, 59-63 (1996)
【非特許文献７】Percival, G. and Dixon, G. Glycoalkaloid Concentration of Potato Tubers Following Continuous Illumination. J. Sci. Food Agric., 66, 139-144 (1994)
【非特許文献８】Morris,S.C. and Lee,T.H. The toxicity and teratogenicity of Solanaceaeglycoalkaloids, particularly those of the potato (Solanum tuberosum): a review. Food Technol. Aust., 36, 118-124 (1984)
【発明の概要】
【発明が解決しようとする課題】
【０００９】
既に説明したように、白色光等（すなわち遠赤色光以外の波長域の光）に曝露されることに起因して、ジャガイモの緑化が進行する。そして、発明者らが検討を行ったところ、白色光等に曝露されたジャガイモは、その後、白色光等の非照射の状態に戻しても、緑化が進行することが確認された。
【００１０】
この発明の目的は、収穫後のジャガイモの緑化を抑制する方法であって、特許文献１〜３とは異なる方法を提供することにある。
【課題を解決するための手段】
【００１１】
上述した目的を達成するために、この発明による緑化抑制方法は、収穫後のジャガイモに対して、遠赤色光と遠赤色光以外の波長域の光とを同時に照射する第１過程と、上述のジャガイモに対して、遠赤色光を単独で照射する時間帯、及び遠赤色光と遠赤色光以外の波長域の光とを非照射とする時間帯を含む第２過程とを備える。
【発明の効果】
【００１２】
この発明による緑化抑制方法では、ジャガイモに対して遠赤色光以外の波長域の光を非照射とする時間帯において、遠赤色光を単独で照射する時間帯及び暗所とする（すなわち遠赤色光と遠赤色光以外の波長域の光とを非照射とする）時間帯を設けることによって、緑化の進行を顕著に抑制することができる。
【図面の簡単な説明】
【００１３】
【図１】実施例１における照射条件を示す図である。
【図２】実施例１における各試験区のクロロフィル含有量を示す図である。
【図３】実施例２における照射条件を示す図である。
【図４】実施例２における各試験区のクロロフィル含有量を示す図である。
【図５】実施例３における照射条件を示す図である。
【図６】実施例３における各試験区のクロロフィル含有量を示す図である。
【図７】実施例４における照射条件を示す図である。
【図８】実施例４における各試験区のクロロフィル含有量を示す図である。
【図９】実施例５における照射条件を示す図である。
【図１０】実施例５における各試験区のクロロフィル含有量を示す図である。
【発明を実施するための形態】
【００１４】
以下、この発明の実施形態について説明するが、数値的条件などは、単なる好適例にすぎない。従って、この発明は以下の実施形態に限定されるものではなく、この発明の構成の範囲を逸脱せずにこの発明の効果を達成できる多くの変更を行うことができる。
【００１５】
この発明の実施の形態による緑化抑制方法は、収穫後のジャガイモに対して、遠赤色光と遠赤色光以外の波長域の光とを同時に照射する第１過程と、上述のジャガイモに対して、遠赤色光を単独で照射する第２過程とを含む。第２過程では、遠赤色光を照射しない時間帯を設ける。すなわち、第２過程は、ジャガイモに対して、遠赤色光を単独で照射する時間帯、及び遠赤色光と遠赤色光以外の波長域の光とを非照射とする（暗所とする）時間帯を含む。ここでは、遠赤色光は、ピーク波長が約７６０ｎｍ程度で、約７００〜８００ｎｍ程度の波長域に含まれる光である。一方、遠赤色光以外の波長域の光は、青色光、緑色光、黄色光及び赤色光のそれぞれや、これらの光を含む白色光である。
【００１６】
ジャガイモは、貯蔵時や店頭陳列時に、蛍光灯による白色光等（すなわち遠赤色光以外の波長域の光）に曝露されると、速やかに緑化が起こる。このとき、遠赤色光を同時に照射すると緑化が抑制される。さらに、貯蔵時における白色光等を消灯している時間帯や、店頭陳列時における閉店後など、暗所下で一時的にジャガイモを収容している時間帯等、白色光等に曝露されていない時間帯において、遠赤色光を延長して単独照射することによって、緑化の進行が抑制される。この遠赤色光を単独照射する時間帯において、遠赤色光を照射せずに、暗所とする時間帯を設けた場合であっても、緑化の進行が抑制される。さらに、この暗所とする時間帯の長さや、暗所とする時間位置を適宜設定することによって、暗所とする時間帯を設けない場合よりも、緑化の進行を顕著に抑制することができる。
【００１７】
従って、遠赤色光を照射すれば、収穫後のジャガイモの出荷作業を蛍光灯等の照明下で行うことが可能となり、作業性が向上する。また、緑化に伴う食中毒成分の増加を抑えることができる。また、白色光等の消灯後においても、暗所とする時間帯を設けつつ、遠赤色光を照射することによって、白色光等が非照射の時間帯における緑化の進行を抑制することができる。さらに、上述した第２過程において、暗所とする時間帯を設けることで、遠赤色光の照射時間を短縮することにより、省電力及び光源の延命の点でも有利である。
【００１８】
（実施例１）
実施例１は、遠赤色光以外の波長域の光照射に対する、遠赤色光の同時照射及び延長照射によるジャガイモの緑化抑制効果を調べる試験である。なお、実施例１では、遠赤色光以外の波長域の光として赤色光を使用した。既に説明したように、赤色光は、ジャガイモに対する緑化誘導が顕著な波長帯の光である（特許文献１参照）。
【００１９】
試験区−１〜５を設定し、各試験区には、縦、横、高さが、それぞれ３４ｃｍ、２５ｃｍ、２１ｃｍのダンボール製容器（以下、単に容器とも称する）を設置した。各容器の上面には、開口が設けられており、各容器の上面上には、開口を塞ぐようにガラス板を乗せ、ガラス板上に光源を設置した。ジャガイモの検体として「ニシユタカ」を５個ずつ試験区−１〜５の各容器内にそれぞれ収容した。ここでは、収穫後約０．５ヶ月間涼しい暗所下で保管された「ニシユタカ」を生産者から入手して試験を行った。試験区−１〜５における照射条件を表１及び図１に示す。
【００２０】
【表１】
2020141626.tif 000003
【００２１】
試験区−１は、赤色光の照射を行う試験区である。赤色光の光源としてＬＥＤを用いた。分光分析装置（ＬＩ−ＣＯＲ社製のＬＩ−１８００）を用いて、使用した光源の分光特性を評価したところ、赤色光は、約６６０ｎｍにピークを示した。赤色光の光強度は、光源直下の容器中央付近の底面において８Ｗ／ｍ２とした。
【００２２】
試験区−１では、１日の照射時間を１２時間連続とし、残りの１２時間は暗所とした。
【００２３】
試験区−２〜４は、赤色光及び遠赤色光の照射を行う試験区である。赤色光及び遠赤色光の光源としてそれぞれＬＥＤを用いた。分光分析装置を用いて、使用した光源の分光特性を評価したところ、赤色光は、約６６０ｎｍにピークを示した。また、遠赤色光は、約７６０ｎｍにピークを示した。赤色光及び遠赤色光の光強度は、光源直下の容器中央付近の底面において各８Ｗ／ｍ２（合わせて１６Ｗ／ｍ２）とした。
【００２４】
試験区−２では、１日のうち、赤色光及び遠赤色光の同時照射を１２時間連続で行い、残りの１２時間を遠赤色光の単独照射とした。すなわち、赤色光については、１２時間の連続照射と１２時間の非照射とを繰り返す間欠照射とした。また、遠赤色光については、２４時間の連続照射とした。
【００２５】
試験区−３では、１日のうち、赤色光及び遠赤色光の同時照射を１２時間連続で行い、次に暗所とする時間帯を２時間設けた後、残りの１０時間を遠赤色光の単独照射とした。すなわち、赤色光については、１２時間の連続照射と１２時間の非照射とを繰り返す間欠照射とした。また、遠赤色光については、上述した暗所とする時間帯を除いて、連続照射とした。
【００２６】
試験区−４では、１日のうち、赤色光及び遠赤色光の同時照射を１２時間連続で行い、
次に赤色光を単独照射する時間帯を２時間設けた後、残りの１０時間を遠赤色光の単独照射とした。すなわち、赤色光については、１４時間の連続照射と１０時間の非照射とを繰り返す間欠照射とした。また、遠赤色光については、上述した赤色光を単独照射する時間帯を除いて、連続照射とした。
【００２７】
試験区−５は、照射を行わない試験区であり、暗所とした。
【００２８】
試験区−１〜５とも、試験期間を１８日間とした。また、試験期間中の試験区−１〜５では、温度が約１７．５〜１９℃の範囲で、及び湿度が約５５〜６５％の範囲で推移しており、各試験区間での差は見られなかった。
【００２９】
そして、試験期間（１８日間）満了後の各試験区の検体につき、緑化の指標として、表皮部のクロロフィル含有量を測定した。各試験区の検体５個ずつを用いて、表皮部位を採集し、凍結乾燥後、粉末化した。ここで表皮部位は、光照射域の表層の厚さ１ｍｍ前後の表層部を指す。なお、目視による観察で各試験区の５個とも緑化の有無等の状態は均一であり、置いた位置による差は見られなかった。
【００３０】
得られた粉末のメタノール抽出液を用いて吸収スペクトルを測定し、クロロフィル含有量を算出した。ここで、吸収スペクトルの測定は、日立製作所製のＵ−３０００を用いて行い、Ｈｏｌｄｅｎの関係式（Ｈｏｌｄｅｎ、Ｍ．，  Ｃｈｅｍｉｓｔｒｙ  ａｎｄ  Ｂｉｏｃｈｅｍｉｓｔｒｙ  ｏｆ  Ｐｌａｎｔ  Ｐｉｇｍｅｎｔｓ，  Ｇｏｏｄｗｉｎ，  Ｔ．Ｗ．，  ｐｐ．１−３７（１９７６）参照）により、測定結果からクロロフィル含有量を算出した。この算出したクロロフィル含有量を図２に示す。
【００３１】
赤色光のみの照射を行った試験区−１では、クロロフィル含有量が約３０．３μｇ／ｇ新鮮重であった。これに対し、赤色光及び遠赤色光の照射を行った試験区−２〜４のクロロフィル含有量は、試験区−２において約６．９μｇ／ｇ新鮮重、試験区−３において約１３．７μｇ／ｇ新鮮重、及び試験区−４において約１５．４μｇ／ｇ新鮮重と、いずれも試験区−１と比べて減少した。
【００３２】
この結果から、赤色光照射下においても、遠赤色光の同時照射を行った後、赤色光非照射の時間帯にも遠赤色光を照射することによって、ジャガイモの緑化を抑制できることが確認された。
【００３３】
なお、赤色光及び遠赤色光の同時照射直後に、暗所とする時間帯を設け、その後遠赤色光の単独照射を行った試験区−３については、赤色光及び遠赤色光の同時照射後に、暗所とする時間帯を設けない試験区−２よりは、緑化抑制効果が劣化した。しかし、上述したように、試験区−３についても、赤色光のみの照射を行い、遠赤色光の照射を行わなかった試験区−１と比べると、ジャガイモの緑化を抑制できることが確認された。
【００３４】
なお、検体の含水率及びＢｒｉｘ糖度には、各試験区間で差は見られなかった。
【００３５】
（実施例２）
実施例２は、遠赤色光以外の波長域の光照射に対する、遠赤色光の同時照射及び延長照射によるジャガイモの緑化抑制効果を調べる試験である。
【００３６】
試験区−１〜４を設定し、各試験区には、縦、横、高さが、それぞれ３４ｃｍ、２５ｃｍ、２１ｃｍのダンボール製容器（以下、単に容器とも称する）を設置した。各容器の上面には、開口が設けられており、各容器の上面上には、開口を塞ぐようにガラス板を乗せ、ガラス板上に光源を設置した。ジャガイモの検体として「ニシユタカ」を５個ずつ試験区−１〜４の各容器内にそれぞれ収容した。ここでは、収穫後約１．２ヶ月間涼しい暗所下で保管された「ニシユタカ」を生産者から入手して試験を行った。試験区−１〜４における照射条件を表２及び図３に示す。
【００３７】
【表２】
2020141626.tif 000004
【００３８】
試験区−１は、赤色光の照射を行う試験区である。赤色光の光源としてＬＥＤを用いた。分光分析装置を用いて、使用した光源の分光特性を評価したところ、赤色光は、約６６０ｎｍにピークを示した。赤色光の光強度は、光源直下の容器中央付近の底面において８Ｗ／ｍ２とした。
【００３９】
試験区−１では、１日の照射時間を１２時間連続とし、残りの１２時間は暗所とした。
【００４０】
試験区−２〜４は、赤色光及び遠赤色光の照射を行う試験区である。赤色光及び遠赤色光の光源としてそれぞれＬＥＤを用いた。分光分析装置を用いて、使用した光源の分光特性を評価したところ、赤色光は、約６６０ｎｍにピークを示した。また、遠赤色光は、約７６０ｎｍにピークを示した。赤色光及び遠赤色光の光強度は、光源直下の容器中央付近の底面において各８Ｗ／ｍ２（合わせて１６Ｗ／ｍ２）とした。
【００４１】
試験区−２では、１日のうち、赤色光及び遠赤色光の同時照射を１２時間連続で行い、残りの１２時間を遠赤色光の単独照射とした。すなわち、赤色光については、１２時間の連続照射と１２時間の非照射とを繰り返す間欠照射とした。また、遠赤色光については、２４時間の連続照射とした。
【００４２】
試験区−３では、１日のうち、赤色光及び遠赤色光の同時照射を１２時間連続で行い、次に遠赤色光の単独照射を４時間行い、次に暗所とする時間帯を１時間設け、残りの７時間を遠赤色光の単独照射とした。すなわち、赤色光については、１２時間の連続照射と１２時間の非照射とを繰り返す間欠照射とした。また、遠赤色光については、上述した暗所とする時間帯を除いて、連続照射とした。
【００４３】
試験区−４では、１日のうち、赤色光及び遠赤色光の同時照射を１２時間連続で行い、次に遠赤色光の単独照射を４時間行い、次に暗所とする時間帯を３０分設け、残りの７．５時間を遠赤色光の単独照射とした。すなわち、赤色光については、１２時間の連続照射と１２時間の非照射とを繰り返す間欠照射とした。また、遠赤色光については、上述した暗所とする時間帯を除いて、連続照射とした。
【００４４】
試験区−１〜４とも、試験期間を１８日間とした。また、試験期間中の試験区−１〜４では、温度が約１７．５〜１９．５℃の範囲で、及び湿度が約５５〜６５％の範囲で推移しており、各試験区間での差は見られなかった。
【００４５】
そして、試験期間（１８日間）満了後の各試験区の検体につき、緑化の指標として、表皮部のクロロフィル含有量を測定した。各試験区の検体５個ずつを用いて、表皮部位を採集し、凍結乾燥後、粉末化した。ここで表皮部位は、光照射域の表層の厚さ１ｍｍ前後の表層部を指す。得られた粉末のメタノール抽出液を用いて吸収スペクトルを測定し、クロロフィル含有量を算出した。この算出したクロロフィル含有量を図４に示す。なお、目視による観察で各試験区の５個とも緑化の有無等の状態は均一であり、置いた位置による差は見られなかった。
【００４６】
赤色光のみの照射を行った試験区−１では、クロロフィル含有量が約４９．９μｇ／ｇ新鮮重であった。これに対し、赤色光及び遠赤色光の照射を行った試験区−２〜４のクロロフィル含有量は、試験区−２において約２０．７μｇ／ｇ新鮮重、試験区−３において約１０．６μｇ／ｇ新鮮重、及び試験区−４において約１８．５μｇ／ｇ新鮮重と、いずれも試験区−１と比べて減少した。
【００４７】
この結果から、赤色光照射下においても、遠赤色光の同時照射を行った後、赤色光非照射の時間帯にも遠赤色光を照射することによって、ジャガイモの緑化を抑制できることが確認された。
【００４８】
さらに、遠赤色光を単独照射する時間帯の中途に、暗所とする時間帯を設けた試験区−３及び４では、暗所とする時間帯を設けなかった試験区−２と比べて、緑化抑制効果が向上することが確認された。特に、遠赤色光の単独照射を４時間行った後に、１時間の暗所とする時間帯を設けた試験区−３では、顕著にジャガイモの緑化を抑制できることが確認された。
【００４９】
なお、検体の含水率及びＢｒｉｘ糖度には、各試験区で差は見られなかった。
【００５０】
（実施例３）
実施例３は、遠赤色光以外の波長域の光照射に対する、遠赤色光の同時照射及び延長照射によるジャガイモの緑化抑制効果を調べる試験である。
【００５１】
試験区−１〜４を設定し、各試験区には、縦、横、高さが、それぞれ３４ｃｍ、２５ｃｍ、２１ｃｍのダンボール製容器（以下、単に容器とも称する）を設置した。各容器の上面には、開口が設けられており、各容器の上面上には、開口を塞ぐようにガラス板を乗せ、ガラス板上に光源を設置した。ジャガイモの検体として「ニシユタカ」を５個ずつ試験区−１〜４の各容器内にそれぞれ収容した。ここでは、収穫後約１．９ヶ月間涼しい暗所下で保管された「ニシユタカ」を生産者から入手して試験を行った。試験区−１〜４における照射条件を表３及び図５に示す。
【００５２】
【表３】
2020141626.tif 000005
【００５３】
試験区−１は、赤色光の照射を行う試験区である。赤色光の光源としてＬＥＤを用いた。分光分析装置を用いて、使用した光源の分光特性を評価したところ、赤色光は、約６６０ｎｍにピークを示した。赤色光の光強度は、光源直下の容器中央付近の底面において８Ｗ／ｍ２とした。
【００５４】
試験区−１では、１日の照射時間を１２時間連続とし、残りの１２時間は暗所とした。
【００５５】
試験区−２〜４は、赤色光及び遠赤色光の照射を行う試験区である。赤色光及び遠赤色光の光源としてそれぞれＬＥＤを用いた。分光分析装置を用いて、使用した光源の分光特性を評価したところ、赤色光は、約６６０ｎｍにピークを示した。また、遠赤色光は、約７６０ｎｍにピークを示した。赤色光及び遠赤色光の光強度は、光源直下の容器中央付近の底面において各８Ｗ／ｍ２（合わせて１６Ｗ／ｍ２）とした。
【００５６】
試験区−２では、１日のうち、赤色光及び遠赤色光の同時照射を１２時間連続で行い、残りの１２時間を遠赤色光の単独照射とした。すなわち、赤色光については、１２時間の連続照射と１２時間の非照射とを繰り返す間欠照射とした。また、遠赤色光については、２４時間の連続照射とした。
【００５７】
試験区−３では、１日のうち、赤色光及び遠赤色光の同時照射を１２時間連続で行い、次に遠赤色光の単独照射を２時間行い、次に暗所とする時間帯を１時間設け、残りの９時間を遠赤色光の単独照射とした。すなわち、赤色光については、１２時間の連続照射と１２時間の非照射とを繰り返す間欠照射とした。また、遠赤色光については、上述した暗所とする時間帯を除いて、連続照射とした。
【００５８】
試験区−４では、１日のうち、赤色光及び遠赤色光の同時照射を１２時間連続で行い、次に遠赤色光の単独照射を６時間行い、次に暗所とする時間帯を１時間設け、残りの５時間を遠赤色光の単独照射とした。すなわち、赤色光については、１２時間の連続照射と１２時間の非照射とを繰り返す間欠照射とした。また、遠赤色光については、上述した暗所とする時間帯を除いて、連続照射とした。
【００５９】
試験区−１〜４とも、試験期間を１８日間とした。また、試験期間中の試験区−１〜４では、温度が約１７．５〜１９℃の範囲で、及び湿度が約５０〜６５％の範囲で推移しており、各試験区間での差は見られなかった。
【００６０】
そして、試験期間（１８日間）満了後の各試験区の検体につき、緑化の指標として、表皮部のクロロフィル含有量を測定した。各試験区の検体５個ずつを用いて、表皮部位を採集し、凍結乾燥後、粉末化した。ここで表皮部位は、光照射域の表層の厚さ１ｍｍ前後の表層部を指す。得られた粉末のメタノール抽出液を用いて吸収スペクトルを測定し、クロロフィル含有量を算出した。この算出したクロロフィル含有量を図６に示す。なお、目視による観察で各試験区の５個とも緑化の有無等の状態は均一であり、置いた位置による差は見られなかった。
【００６１】
赤色光のみの照射を行った試験区−１では、クロロフィル含有量が約５１．０μｇ／ｇ新鮮重であった。これに対し、赤色光及び遠赤色光の照射を行った試験区−２〜４のクロロフィル含有量は、試験区−２において約１８．０μｇ／ｇ新鮮重、試験区−３において約１３．１μｇ／ｇ新鮮重、及び試験区−４において約１４．６μｇ／ｇ新鮮重と、いずれも試験区−１と比べて減少した。
【００６２】
この結果から、赤色光照射下においても、遠赤色光の同時照射を行った後、赤色光非照射の時間帯にも遠赤色光を照射することによって、ジャガイモの緑化を抑制できることが確認された。
【００６３】
さらに、遠赤色光を単独照射する時間帯の中途に、暗所とする時間帯を設けた試験区−３及び４では、暗所とする時間帯を設けなかった試験区−２と比べて、緑化抑制効果が向上することが確認された。特に、遠赤色光の単独照射を２時間行った後に、１時間の暗所とする時間帯を設けた試験区−３では、顕著にジャガイモの緑化を抑制できることが確認された。
【００６４】
なお、検体の含水率及びＢｒｉｘ糖度には、各試験区で差は見られなかった。
【００６５】
（実施例４）
実施例４は、遠赤色光以外の波長域の光照射に対する、遠赤色光の同時照射及び延長照射によるジャガイモの緑化抑制効果を調べる試験である。
【００６６】
試験区−１〜５を設定し、各試験区には、縦、横、高さが、それぞれ３４ｃｍ、２５ｃｍ、２１ｃｍのダンボール製容器（以下、単に容器とも称する）を設置した。各容器の上面には、開口が設けられており、各容器の上面上には、開口を塞ぐようにガラス板を乗せ、ガラス板上に光源を設置した。ジャガイモの検体として「男爵」を５個ずつ試験区−１〜５の各容器内にそれぞれ収容した。ここでは、収穫後約１ヶ月間涼しい暗所下で保管された「男爵」を生産者から入手して試験を行った。試験区−１〜５における照射条件を表４及び図７に示す。
【００６７】
【表４】
2020141626.tif 000006
【００６８】
試験区−１は、赤色光の照射を行う試験区である。赤色光の光源としてＬＥＤを用いた。分光分析装置を用いて、使用した光源の分光特性を評価したところ、赤色光は、約６６０ｎｍにピークを示した。赤色光の光強度は、光源直下の容器中央付近の底面において８Ｗ／ｍ２とした。
【００６９】
試験区−１では、１日の照射時間を１２時間連続とし、残りの１２時間は暗所とした。
【００７０】
試験区−２〜４は、赤色光及び遠赤色光の照射を行う試験区である。赤色光及び遠赤色光の光源としてそれぞれＬＥＤを用いた。分光分析装置を用いて、使用した光源の分光特性を評価したところ、赤色光は、約６６０ｎｍにピークを示した。また、遠赤色光は、約７６０ｎｍにピークを示した。赤色光及び遠赤色光の光強度は、光源直下の容器中央付近の底面において各８Ｗ／ｍ２（合わせて１６Ｗ／ｍ２）とした。
【００７１】
試験区−２では、１日のうち、赤色光及び遠赤色光の同時照射を１２時間連続で行い、残りの１２時間を遠赤色光の単独照射とした。すなわち、赤色光については、１２時間の連続照射と１２時間の非照射とを繰り返す間欠照射とした。また、遠赤色光については、２４時間の連続照射とした。
【００７２】
試験区−３では、１日のうち、赤色光及び遠赤色光の同時照射を１２時間連続で行い、次に遠赤色光の単独照射を４時間行い、次に暗所とする時間帯を１時間設け、残りの７時間を遠赤色光の単独照射とした。すなわち、赤色光については、１２時間の連続照射と１２時間の非照射とを繰り返す間欠照射とした。また、遠赤色光については、上述した暗所とする時間帯を除いて、連続照射とした。
【００７３】
試験区−４では、１日のうち、赤色光及び遠赤色光の同時照射を１２時間連続で行い、次に遠赤色光の単独照射を４時間行い、次に暗所とする時間帯を２時間設け、残りの６時間を遠赤色光の単独照射とした。すなわち、赤色光については、１２時間の連続照射と１２時間の非照射とを繰り返す間欠照射とした。また、遠赤色光については、上述した暗所とする時間帯を除いて、連続照射とした。
【００７４】
試験区−５は、照射を行わない試験区であり、暗所とした。
【００７５】
試験区−１〜５とも、試験期間を２５日間とした。また、試験期間中の試験区−１〜５では、温度が約１７．５〜１９．５℃の範囲で、及び湿度が約５０〜６５％の範囲で推移しており、各試験区間での差は見られなかった。
【００７６】
そして、試験期間（２５日間）満了後の各試験区の検体につき、緑化の指標として、表皮部のクロロフィル含有量を測定した。各試験区の検体５個ずつを用いて、表皮部位を採集し、凍結乾燥後、粉末化した。ここで表皮部位は、光照射域の表層の厚さ１ｍｍ前後の表層部を指す。得られた粉末のメタノール抽出液を用いて吸収スペクトルを測定し、クロロフィル含有量を算出した。この算出したクロロフィル含有量を図８に示す。なお、目視による観察で各試験区の５個とも緑化の有無等の状態は均一であり、置いた位置による差は見られなかった。
【００７７】
赤色光のみの照射を行った試験区−１では、クロロフィル含有量が約５０．８μｇ／ｇ新鮮重であった。これに対し、赤色光及び遠赤色光の照射を行った試験区−２〜４のクロロフィル含有量は、試験区−２において約１７．４μｇ／ｇ新鮮重、試験区−３において約１１．８μｇ／ｇ新鮮重、及び試験区−４において約１１．５μｇ／ｇ新鮮重と、いずれも試験区−１と比べて減少した。
【００７８】
この結果から、赤色光照射下においても、遠赤色光の同時照射を行った後、赤色光非照射の時間帯にも遠赤色光を照射することによって、ジャガイモの緑化を抑制できることが確認された。
【００７９】
さらに、遠赤色光を単独照射する時間帯の中途に、暗所とする時間帯を設けた試験区−３及び４では、暗所とする時間帯を設けなかった試験区−２と比べて、緑化抑制効果が向上することが確認された。そして、暗所とする時間帯を１時間に設定した試験区−３と、暗所とする時間帯を２時間に設定した試験区−４とでは、ほぼ同等の緑化抑制効果が得られることが確認された。
【００８０】
なお、検体の含水率及びＢｒｉｘ糖度には、各試験区で差は見られなかった。
【００８１】
（実施例５）
実施例５は、遠赤色光以外の波長域の光照射に対する、遠赤色光の同時照射及び延長照射によるジャガイモの緑化抑制効果を調べる試験である。
【００８２】
試験区−１〜５を設定し、各試験区には、縦、横、高さが、それぞれ３４ｃｍ、２５ｃｍ、２１ｃｍのダンボール製容器（以下、単に容器とも称する）を設置した。各容器の上面には、開口が設けられており、各容器の上面上には、開口を塞ぐようにガラス板を乗せ、ガラス板上に光源を設置した。ジャガイモの検体として「男爵」を５個ずつ試験区−１〜５の各容器内にそれぞれ収容した。ここでは、収穫後約３ヶ月間涼しい暗所下で保管された「男爵」を生産者から入手して試験を行った。試験区−１〜５における照射条件を表５及び図９に示す。
【００８３】
【表５】
2020141626.tif 000007
【００８４】
試験区−１は、赤色光の照射を行う試験区である。赤色光の光源としてＬＥＤを用いた。分光分析装置を用いて、使用した光源の分光特性を評価したところ、赤色光は、約６６０ｎｍにピークを示した。赤色光の光強度は、光源直下の容器中央付近の底面において８Ｗ／ｍ２とした。
【００８５】
試験区−１では、１日の照射時間を４時間連続とし、残りの２０時間は暗所とした。
【００８６】
試験区−２〜４は、赤色光及び遠赤色光の照射を行う試験区である。赤色光及び遠赤色光の光源としてそれぞれＬＥＤを用いた。分光分析装置を用いて、使用した光源の分光特性を評価したところ、赤色光は、約６６０ｎｍにピークを示した。また、遠赤色光は、約７６０ｎｍにピークを示した。赤色光及び遠赤色光の光強度は、光源直下の容器中央付近の底面において各８Ｗ／ｍ２（合わせて１６Ｗ／ｍ２）とした。
【００８７】
試験区−２では、１日のうち、赤色光及び遠赤色光の同時照射を４時間連続で行い、残りの２０時間を遠赤色光の単独照射とした。すなわち、赤色光については、４時間の連続照射と２０時間の非照射とを繰り返す間欠照射とした。また、遠赤色光については、２４時間の連続照射とした。
【００８８】
試験区−３では、１日のうち、赤色光及び遠赤色光の同時照射を４時間連続で行い、次に遠赤色光の単独照射を４時間行い、次に暗所とする時間帯を１時間設け、次に遠赤色光の単独照射を６時間行い、残りの９時間を暗所とした。すなわち、赤色光については、４時間の連続照射と２０時間の非照射とを繰り返す間欠照射とした。また、遠赤色光についても、上述の時間で照射と非照射を繰り返す間欠照射とした。
【００８９】
試験区−４では、１日のうち、赤色光及び遠赤色光の同時照射を４時間連続で行い、次に遠赤色光の単独照射を１０時間行い、残りの１０時間を暗所とした。すなわち、赤色光については、４時間の連続照射と２０時間の非照射とを繰り返す間欠照射とした。また、遠赤色光についても、１４時間の連続照射と１０時間の非照射とを繰り返す間欠照射とした。
【００９０】
試験区−５は、照射を行わない試験区であり、暗所とした。
【００９１】
試験区−１〜５とも、試験期間を７８日間とした。また、試験期間中の試験区−１〜５では、温度が約１７〜１９℃の範囲で、及び湿度が約４０〜５５％の範囲で推移しており、各試験区間での差は見られなかった。
【００９２】
そして、試験期間（７８日間）満了後の各試験区の検体につき、緑化の指標として、表皮部のクロロフィル含有量を測定した。各試験区の検体５個ずつを用いて、表皮部位を採集し、凍結乾燥後、粉末化した。ここで表皮部位は、光照射域の表層の厚さ１ｍｍ前後の表層部を指す。得られた粉末のメタノール抽出液を用いて吸収スペクトルを測定し、クロロフィル含有量を算出した。この算出したクロロフィル含有量を図１０に示す。なお、目視による観察で各試験区の５個とも緑化の有無等の状態は均一であり、置いた位置による差は見られなかった。
【００９３】
赤色光のみの照射を行った試験区−１では、クロロフィル含有量が約２６．０μｇ／ｇ新鮮重であった。これに対し、赤色光及び遠赤色光の照射を行った試験区−２〜４のクロロフィル含有量は、試験区−２において約３．１μｇ／ｇ新鮮重、試験区−３において約２．５μｇ／ｇ新鮮重、及び試験区−４において約３．６μｇ／ｇ新鮮重と、いずれも試験区−１と比べて減少した。
【００９４】
この結果から、赤色光及び遠赤色光を同時照射する時間帯を４時間と短く設定した場合においても、赤色光非照射の時間帯にも遠赤色光を照射することによって、ジャガイモの緑化が顕著に抑制できることが確認された。
【００９５】
さらに、遠赤色光を単独照射する時間帯の中途に、暗所とする時間帯を１時間設けた試験区−３では、暗所とする時間帯を設けなかった試験区−２と比べて、緑化抑制効果が向上することが確認された。また、遠赤色光を１４時間の連続照射とした試験区−４においても、暗所とする時間帯を設けなかった試験区−２に近い緑化抑制効果が得られることが確認された。
【００９６】
なお、検体の含水率及びＢｒｉｘ糖度には、各試験区で差は見られなかった。
【図１】
2020141626.tif 000008
【図２】
2020141626.tif 000009
【図３】
2020141626.tif 000010
【図４】
2020141626.tif 000011
【図５】
2020141626.tif 000012
【図６】
2020141626.tif 000013
【図７】
2020141626.tif 000014
【図８】
2020141626.tif 000015
【図９】
2020141626.tif 000016
【図１０】
2020141626.tif 000017
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
収穫後のジャガイモに対して、遠赤色光と遠赤色光以外の波長域の光とを同時に照射する第１過程と、
前記ジャガイモに対して、遠赤色光を単独で照射する時間帯、及び遠赤色光と遠赤色光以外の波長域の光とを非照射とする時間帯のみを含む第２過程であって、少なくとも、
前記第１過程から連続して遠赤色光を単独で照射する時間帯、
遠赤色光と遠赤色光以外の波長域の光とを非照射とする時間帯、及び
遠赤色光を単独で照射する時間帯
をこの順に含む第２過程と
を備え、
前記第１過程及び前記第２過程を２４時間のうちに実施し、
前記第１過程及び前記第２過程を繰り返し行う場合には、前記第２過程に連続して前記第１過程を実施する
ることを特徴とする緑化抑制方法。
【請求項２】
前記遠赤色光以外の波長域の光の光強度を、光源直下において８Ｗ／ｍ２とし、
前記遠赤色光の光強度を、光源直下において８Ｗ／ｍ２とする
ことを特徴とする請求項１に記載の緑化抑制方法。
【請求項３】
前記遠赤色光以外の波長域の光を、１日当たり１２時間連続で照射し、
前記遠赤色光を、１日当たり、前記第１過程において１２時間連続で照射し、及び前記第２過程において、まず４時間連続で照射し、次に１時間非照射とし、次に７時間連続で照射する
ことを特徴とする請求項１又は２に記載の緑化抑制方法。
【請求項４】
前記遠赤色光以外の波長域の光を、１日当たり１２時間連続で照射し、
前記遠赤色光を、１日当たり、前記第１過程において１２時間連続で照射し、及び前記第２過程において、まず４時間連続で照射し、次に０．５時間非照射とし、次に７．５時間連続で照射する
ことを特徴とする請求項１又は２に記載の緑化抑制方法。
【請求項５】
前記遠赤色光以外の波長域の光を、１日当たり１２時間連続で照射し、
前記遠赤色光を、１日当たり、前記第１過程において１２時間連続で照射し、及び前記第２過程において、まず２時間連続で照射し、次に１時間非照射とし、次に９時間連続で照射する
ことを特徴とする請求項１又は２に記載の緑化抑制方法。
【請求項６】
前記遠赤色光以外の波長域の光を、１日当たり１２時間連続で照射し、
前記遠赤色光を、１日当たり、前記第１過程において１２時間連続で照射し、及び前記第２過程において、まず６時間連続で照射し、次に１時間非照射とし、次に５時間連続で照射する
ことを特徴とする請求項１又は２に記載の緑化抑制方法。
【請求項７】
前記遠赤色光以外の波長域の光を、１日当たり１２時間連続で照射し、
前記遠赤色光を、１日当たり、前記第１過程において１２時間連続で照射し、及び前記第２過程において、まず４時間連続で照射し、次に２時間非照射とし、次に６時間連続で照射する
ことを特徴とする請求項１又は２に記載の緑化抑制方法。
【請求項８】
前記遠赤色光以外の波長域の光を、１日当たり４時間連続で照射し、
前記遠赤色光を、１日当たり、前記第１過程において４時間連続で照射し、及び前記第２過程において、まず４時間連続で照射し、次に１時間非照射とし、次に６時間連続で照射し、次に９時間非照射とする
ことを特徴とする請求項１又は２に記載の緑化抑制方法。
【手続補正２】
【補正対象書類名】明細書
【補正対象項目名】００１１
【補正方法】変更
【補正の内容】
【００１１】
上述した目的を達成するために、この発明による緑化抑制方法は、収穫後のジャガイモに対して、遠赤色光と遠赤色光以外の波長域の光とを同時に照射する第１過程と、上述のジャガイモに対して、遠赤色光を単独で照射する時間帯、及び遠赤色光と遠赤色光以外の波長域の光とを非照射とする時間帯のみを含む第２過程であって、少なくとも、第１過程から連続して遠赤色光を単独で照射する時間帯、遠赤色光と遠赤色光以外の波長域の光とを非照射とする時間帯、及び遠赤色光を単独で照射する時間帯をこの順に含む第２過程とを備え、第１過程及び第２過程を２４時間のうちに実施し、第１過程及び第２過程を繰り返し行う場合には、第２過程に連続して第１過程を実施する。